(57)【要約】【課題】例えば、画素部の開口率の低下を抑制すると共に指等の指示手段の検出精度を高める。【解決手段】サブ画素部７２Ｒ、７２Ｇ及び７２Ｂからなる３つのサブ画素部毎に配置されたサブ画素部７２Ｗの開口部７３Ｗに重なるように光センサ部２５０ｂを配置することによって、サブ画素部７２Ｒ、７２Ｇ及び７２Ｂの夫々の開口率を低下させなくて済む。液晶装置１によれば、例えば、サブ画素部７２Ｒ、７２Ｇ、７２Ｂ及び７２Ｗの夫々に光センサ部２５０ｂを配置する場合に比べて、ＴＦＴアレイ基板１０上において光センサ部２５０ｂが占める領域のサイズを１／４に狭めることが可能である。したがって、液晶装置１によれば、画像表示領域１０ａのうち実質的に光が透過する領域の面積を拡げることが可能である。【選択図】図６
2008281732.tif 000002
【特許請求の範囲】
【請求項１】
基板と、
前記基板上の表示領域に形成されており、前記基板上において指示手段によって指示さ
れる表示面から入射する入射光に含まれる互いに異なる複数種の色光の夫々を透過させる
複数の第１画素部と、
前記表示領域に形成されており、前記複数種の色光のうち少なくとも２種類以上の色光
を透過させる第２画素部と、
前記基板上において、前記第２画素部に重なるように設けられた光センサ部と
を備えたことを特徴とする電気光学装置。
【請求項２】
前記複数種の色光は、赤色光、緑色光、及び青色光であり、
前記第２画素部は、前記赤色光、前記緑色光、及び前記青色光のうち少なくとも２種類
以上の色光を透過させること
を特徴とする請求項１に記載の電気光学装置。
【請求項３】
前記複数の第１画素部は、前記赤色光、前記緑色光、及び前記青色光の夫々を透過させ
る３つの第１画素部であり、前記第２画素部は、前記３つの第１画素部毎に設けられ、且
つ白色光を透過させること
を特徴とする請求項２に記載の電気光学装置。
【請求項４】
請求項１から３の何れか一項に記載の電気光学装置を具備してなること
を特徴とする電子機器。
【発明の詳細な説明】
【技術分野】
【０００１】
本発明は、例えば、タッチパネル機能を有する電気光学装置、及びそのような電気光学
装置を具備してなる電子機器の技術分野に関する。
【背景技術】
【０００２】
この種の電気光学装置では、複数の画素部毎に光センサを配置し、画素部を透過する透
過光による画像表示、及び指等の指示手段を介した当該電気光学装置への情報の入力を可
能にする、所謂タッチパネル機能を有する電気光学装置が提案されている。このような電
気光学装置では、指或いは指示部材等の指示手段が液晶装置の表示面に触れたこと、或い
は表示面上で動いたことが光センサ等の受光素子によって検知され、当該電気光学装置へ
の情報の入力が可能になっている。
【０００３】
タッチパネル機能を有する電気光学装置では、画素部毎に設けられた光センサによって
生じる開口率の低下を防止する目的で、複数の色光の夫々を透過させる複数の画素部のう
ち一の画素部に光センサを配置することによって開口率の低下が抑制された表示装置が提
案されている（例えば、特許文献１参照。）。より具体的には、赤色光（Ｒ）、緑色光（
Ｇ）、及び青色光（Ｂ）のうち赤色光のみを透過させる画素部にのみ光センサが配置され
る。
【０００４】
また、タッチパネル機能を有する電気光学装置では、表示領域の周辺に配置される走査
線駆動回路等の回路部の構成を簡略化することによって、表示領域全体のサイズを広げる
ことが可能な表示装置（例えば、特許文献２参照。）や、カラーフィルタによる入射光の
減衰を低減可能な表示装置（例えば、特許文献３参照。）も提案されている。
【０００５】
【特許文献１】特開２００６−５２２９８０号公報
【特許文献２】特開２００５−１３４８０９号公報
【特許文献３】特開２００６−３１７８９９号公報
【発明の開示】
【発明が解決しようとする課題】
【０００６】
しかしながら、特許文献１に開示された技術によれば、赤色光を入射させるための光源
としての外部装置が必要となることに加えて自然光に対する検出感度を高めることが困難
となる技術的な問題点がある。特許文献２に開示された技術によれば、画素単位における
開口率の向上を図ることが難しい。特許文献３に開示された技術によれば、カラーフィル
タを透過した光の強度が約１／３に低下してしまい、光センサが入射光を検出する検出感
度を高めることが困難になる問題点もある。
【０００７】
また、光センサを設けることによって生じた画素部の開口率の低下を補償する目的でバ
ックライトの輝度を高めた場合、バックライトによる消費電力が増大してしまう問題点も
ある。
【０００８】
よって、本発明は上記問題点等に鑑みてなされたものであり、例えば、自然光を検出す
ることによって正確に指等の指示手段を検知でき、且つバックライトによる消費電力の増
大を生じさせることがない電気光学装置、及びそのような電気光学装置を具備してなる電
子機器を提供することを課題とする。
【課題を解決するための手段】
【０００９】
本発明に係る電気光学装置は上記課題を解決するために、基板と、前記基板上の表示領
域に形成されており、前記基板上において指示手段によって指示される表示面から入射す
る入射光に含まれる互いに異なる複数種の色光の夫々を透過させる複数の第１画素部と、
前記表示領域に形成されており、前記複数種の色光のうち少なくとも２種類以上の色光を
透過させる第２画素部と、前記基板上において、前記第２画素部に重なるように設けられ
た光センサ部とを備える。
【００１０】
本発明に係る電気光学装置によれば、基板は、例えば、ＴＦＴ等の画素スイッチング用
素子が形成された透明基板である。
【００１１】
複数の第１画素部は、基板上の表示領域に形成されており、基板上において指示手段に
よって指示される表示面から入射する入射光に含まれる互いに異なる複数種の色光の夫々
を透過させる。したがって、複数の第１画素部の夫々は、別途設けられた光源から出射さ
れた光源光のうち所定の色光を夫々透過させることによって、カラー表示が可能である。
【００１２】
このような複数の第１画素部の夫々は、例えば、表示面に入射する自然光のうちこれら
第１画素部の夫々が透過させるべき色光のみを透過可能なカラーフィルタを有している。
したがって、第１画素部を透過する色光は、表示面に入射する自然光等の入射光の光強度
に比べて光強度が低下する。
【００１３】
第２画素部は、表示領域に形成されており、複数の画素部のうち少なくとも２種類以上
の色光を透過させる。したがって、第２画素部を透過する入射光は、第１画素部を透過す
る入射光より高い光強度を維持したままで光センサ部に入射する。
【００１４】
光センサ部は、基板上において、第２画素部に重なるように設けられている。本発明に
係る電気光学装置によれば、第１画素部及び第２画素部のうち第２画素部のみに光センサ
部が配置されているため、第１画素部の開口率が低下することがなく、当該電気光学装置
の表示性能を低下させることがない。尚、「開口率」とは、基板上の表示領域において、
第１画素部のサイズに対する非透明な要素によって光が遮られることがない領域の割合を
いう。
【００１５】
加えて、本発明に係る電気光学装置によれば、第２画素部を透過する入射光は、第１画
素部に入射する入射光より高い光強度を維持したままで光センサ部に入射するため、光セ
ンサ部は、表示面において指等の指示手段によって反射された光を正確に検出できる。
【００１６】
したがって、本発明に係る電気光学装置によれば、光センサ部を各画素部に配置するこ
とによって生じる開口率の低下を抑制しつつ、表示面から入射する入射光の検出能力を高
めることが可能である。
【００１７】
本発明に係る電気光学装置の一の態様では、前記複数種の色光は、赤色光、緑色光、及
び青色光であり、前記第２画素部は、前記赤色光、前記緑色光、及び前記青色光のうち少
なくとも２種類以上の色光を透過させてもよい。
【００１８】
この態様によれば、赤色光、緑色光、及び青色光によるフルカラーのカラー表示が可能
になる。加えて、第２画素部は、これら３種類の色光のうち２種類以上の色光を透過させ
るため、例えば、表示面から入射する自然光等の入射光のうち１種類の色光のみを透過さ
せる第１画素部に光センサ部を配置する場合に比べて、光センサ部に入射する入射光の光
強度を高めることができ、指等の指示手段を検出する検出精度を高めることができる。
【００１９】
この態様では、前記複数の第１画素部は、前記赤色光、前記緑色光、及び前記青色光の
夫々を透過させる３つの第１画素部であり、前記第２画素部は、前記３つの第１画素部毎
に設けられ、且つ白色光を透過させてもよい。
【００２０】
この態様によれば、例えば、カラーフィルタを有する第１画素部を透過する入射光の強
度は、入射前に比べて約１／３の程度に低下する。しかしながら、第２画素部では、表示
面から入射した入射光がカラーフィルタを透過することなく、そのまま光センサ部に入射
する。したがって、指等の指示手段によって反射された自然光が入射光として直接光セン
サ部に入射することになるため、光センサ部によって指示手段を検出する検出精度を高め
ることが可能になる。
【００２１】
本発明に係る電子機器によれば、上述した本発明に係る電気光学装置を具備してなるの
で、タッチパネル機能を有し、且つ高品位の表示が可能な、携帯電話、電子手帳、ワード
プロセッサ、モニタ直視型のビデオテープレコーダ、ワークステーション、テレビ電話、
ＰＯＳ端末などの各種電子機器を実現できる。また、本発明に係る電子機器として、例え
ば電子ペーパなどの電気泳動装置等も実現することが可能である。
【００２２】
本発明のこのような作用及び他の利得は次に説明する実施形態から明らかにされる。
【発明を実施するための最良の形態】
【００２３】
以下、図面を参照しながら、本発明に係る電気光学装置及び電子機器の各実施形態を説
明する。本実施形態では、本発明に係る電気光学装置の一実施形態として液晶装置を挙げ
る。
【００２４】
＜１：液晶装置＞
＜１−１：液晶装置の全体構成＞
先ず、図１及び図２を参照しながら、本実施形態に係る液晶装置１の全体構成を説明す
る。図１は、ＴＦＴアレイ基板をその上に形成された各構成要素と共に対向基板の側から
見た液晶装置１の平面図であり、図２は、図１のＩＩ−ＩＩ´断面図である。本実施形態
に係る液晶装置１は、駆動回路内蔵型のＴＦＴアクティブマトリクス駆動方式で駆動され
る。
【００２５】
図１及び図２において、液晶装置１では、本発明の「基板」の一例であるＴＦＴアレイ
基板１０と、対向基板２０とが対向配置されている。ＴＦＴアレイ基板１０と対向基板２
０との間に液晶層５０が封入されており、ＴＦＴアレイ基板１０と対向基板２０とは、複
数の画素部が設けられた表示領域である画像表示領域１０ａの周囲に位置するシール領域
に設けられたシール材５２により相互に接着されている。
【００２６】
シール材５２は、両基板を貼り合わせるための、例えば紫外線硬化樹脂、熱硬化樹脂等
からなり、製造プロセスにおいてＴＦＴアレイ基板１０上に塗布された後、紫外線照射、
加熱等により硬化させられたものである。シール材５２中には、ＴＦＴアレイ基板１０と
対向基板２０との間隔（基板間ギャップ）を所定値とするためのグラスファイバ或いはガ
ラスビーズ等のギャップ材が散布されている。
【００２７】
シール材５２が配置されたシール領域の内側に並行して、画像表示領域１０ａの額縁領
域を規定する遮光性の額縁遮光膜５３が、対向基板２０側に設けられている。但し、この
ような額縁遮光膜５３の一部又は全部は、ＴＦＴアレイ基板１０側に内蔵遮光膜として設
けられてもよい。尚、画像表示領域１０ａの周辺に位置する周辺領域が存在する。言い換
えれば、本実施形態においては特に、ＴＦＴアレイ基板１０の中心から見て、この額縁遮
光膜５３より以遠が周辺領域として規定されている。
【００２８】
液晶装置１は、データ線駆動回路１０１、走査線駆動回路１０４、及びセンサ用走査回
路２０４を備えている。周辺領域のうち、シール材５２が配置されたシール領域の外側に
位置する領域において、データ線駆動回路１０１及び外部回路接続端子１０２がＴＦＴア
レイ基板１０の一辺に沿って設けられている。走査線駆動回路１０４は、この一辺に隣接
する２辺の一方に沿い、且つ、額縁遮光膜５３に覆われるようにして設けられている。セ
ンサ用走査回路２０４は、画像表示領域１０ａを介して走査線駆動回路１０４に向かい合
うように設けられている。走査線駆動回路１０４及びセンサ用走査回路２０４は、額縁遮
光膜５３に覆われるように形成された複数の配線１０５によって相互に電気的に接続され
ている。
【００２９】
ＴＦＴアレイ基板１０上の周辺領域には、後述する光センサ部から出力された出力信号
を処理するとともに、光量調整部による光量の絞り量を制御する回路部を含む制御回路部
２０１が形成されている。制御回路部２０１または後述するその機能の一部である受光信
号処理回路部２１５は、画像表示領域１０ａに対する接続を簡単にするためにデータ線駆
動回路１０１と一体に形成されていることが好ましい。
【００３０】
外部回路接続端子１０２は、外部回路及び液晶装置１を電気的に接続する接続手段の一
例であるフレキシブル（ＦＰＣ）基板２００に設けられた接続端子に接続されている。液
晶装置１が有するバックライトは、ＦＰＣ２００に搭載されたＩＣ回路等から構成される
バックライト制御回路２０２によって制御される。
【００３１】
対向基板２０の４つのコーナー部には、ＴＦＴアレイ基板１０及び対向基板２０間の上
下導通端子として機能する上下導通材１０６が配置されている。他方、ＴＦＴアレイ基板
１０にはこれらのコーナー部に対向する領域において上下導通端子が設けられている。こ
れらにより、ＴＦＴアレイ基板１０及び対向基板２０間で電気的な導通をとることができ
る。
【００３２】
図２において、ＴＦＴアレイ基板１０上には、画素スイッチング用のＴＦＴや走査線、
データ線等の配線が形成された後の画素電極９ａ上に、配向膜１６（図６参照。）が形成
されている。他方、対向基板２０上には、対向電極２１の他、格子状又はストライプ状の
遮光膜２３、更には最上層部分に配向膜２２（図６参照。）が形成されている。液晶層５
０は、例えば一種又は数種類のネマティック液晶を混合した液晶からなり、これら一対の
配向膜間で、所定の配向状態をとる。
【００３３】
液晶装置１は、第２偏光板３０２、第３偏光板３０３、及びバックライト２０６を備え
ている。第２偏光板３０２は、対向基板２０上に配置されている。第３偏光板３０３は、
ＴＦＴアレイ基板１０の図中下側においてバックライト２０６及びＴＦＴアレイ基板１０
間に配置されている。液晶装置１は、その動作時に、第２偏光板３０２の両面のうち対向
基板２０に臨まない側に位置する表示面３０２ｓに画像を表示する。
【００３４】
尚、図１及び図２に示したＴＦＴアレイ基板１０上には、これらのデータ線駆動回路１
０１、走査線駆動回路１０４等の回路部に加えて、画像信号線上の画像信号をサンプリン
グしてデータ線に供給するサンプリング回路、複数のデータ線に所定電圧レベルのプリチ
ャージ信号を画像信号に先行して各々供給するプリチャージ回路、製造途中や出荷時の当
該電気光学装置の品質、欠陥等を検査するための検査回路等が形成されていてもよい。
【００３５】
＜１−２：液晶装置の回路構成＞
次に、図３を参照しながら、液晶装置１の回路構成を説明する。図３は、液晶装置１の
主要な回路構成を示したブロック図である。
【００３６】
図３において、液晶装置１は、データ線駆動回路部１０１、走査線駆動回路部１０４、
センサ感度調整回路部２０５、センサ用走査回路２０４、受光信号処理回路２１５、画像
処理回路部２１６、及び表示部１１０を備えている。図１に示した制御回路部２０１は、
センサ感度調整回路部２０５、受光信号処理回路部２１５及び画像処理回路部２１６を含
んで構成されている。センサ感度調整回路部２０５、受光信号処理回路部２１５、及び画
像処理回路部２１６は、制御回路部２０１を構成している。
【００３７】
表示部１１０は、後述するようにマトリクス状に配列された複数の画素部から構成され
ている。データ線駆動回路１０１及び走査線駆動回路１０４は、走査信号及び画像信号を
所定のタイミングで表示部１１０に供給し、各画素部を駆動する。
【００３８】
センサ用走査回路部２０４は、液晶装置１の動作時に、後述する光センサ部を動作させ
るための信号を各光センサ部に供給する。受光信号処理回路部２１５は、ＴＦＴアレイ基
板１０上の画像表示領域１０ａに設けられた光センサ部から出力された受光信号を処理す
る。
【００３９】
画像処理回路部２１６は、受光信号処理回路部２１５から供給された処理済信号に基づ
いて構成される画像データを処理する。画像処理回路部２１６は、表示部１１０が有する
複数の光センサ部の夫々の受光信号に基づいて特定された画像から、表示面３０２ｓを指
示する指等の指示手段を識別できた場合には、画像表示領域１０ａにおいて表示面３０２
ｓを指示する指示手段の位置を特定し、特定された指示手段の位置をタッチ位置情報とし
て外部回路部に出力する。他方、画像処理回路部２１６は、指示手段の位置が特定できな
い場合には、光センサ部の感度を補正するための補正信号をデータ線駆動回路１０１に供
給する。
【００４０】
＜１−３：画素部の構成＞
次に、図４乃至図６を参照しながら、液晶装置１の画素部の構成を詳細に説明する。図
４は、液晶装置１の画像表示領域１０ａを構成するマトリクス状に形成された複数の画素
における各種素子、配線等の等価回路である。図５は、画素部の図式的平面図である。図
６は、図５のＶＩ−ＶＩ´断面図である。尚、図４では、ＴＦＴアレイ基板１０上にマト
リクス状に配置された複数の画素部のうち実質的に画像の表示に寄与する部分の回路構成
と共に光検出回路部を示している。図５及び図６では、各層・各部材を図面上で認識可能
な程度の大きさとするため、該各層・各部材ごとに縮尺を異ならしめてある。
【００４１】
図４を参照しながら、画素部７２の回路構成を説明する。図４において、液晶装置１の
画像表示領域１０ａを構成するマトリクス状に形成された複数の画素部７２の夫々は、赤
色を表示するサブ画素部７２Ｒ、緑色を表示するサブ画素部７２Ｇ、青色を表示するサブ
画素部７２Ｂ、及び白色を表示するサブ画素部７２Ｗを含んで構成されており、画像表示
領域１０ａに形成された複数の光検出回路部２５０の夫々に電気的に接続されている。し
たがって、液晶装置１は、カラー画像を表示可能な表示装置である。尚、サブ画素部７２
Ｒ、サブ画素部７２Ｇ及びサブ画素部７２Ｂの夫々が、本発明の「第１画素部」の一例で
あり、サブ画素部７２Ｗが、本発明の「第２画素部」の一例である。
【００４２】
サブ画素部７２Ｒ、７２Ｇ、７２Ｂ及び７２Ｗの夫々は、画素電極９ａ、ＴＦＴ３０、
及び液晶素子５０ａを備えている。
【００４３】
ＴＦＴ３０は、画素電極９ａに電気的に接続されており、液晶装置１の動作時に画素電
極９ａをスイッチング制御する。画像信号が供給されるデータ線６ａは、ＴＦＴ３０のソ
ースに電気的に接続されている。データ線６ａに書き込む画像信号Ｓ１、Ｓ２、・・・、
Ｓｎは、この順に線順次に供給しても構わないし、相隣接する複数のデータ線６ａ同士に
対して、グループ毎に供給するようにしてもよい。
【００４４】
ＴＦＴ３０のゲートに走査線３ａが電気的に接続されており、液晶装置１は、所定のタ
イミングで、走査線３ａにパルス的に走査信号Ｇ１、Ｇ２、・・・、Ｇｍを、この順に線
順次で印加するように構成されている。画素電極９ａは、ＴＦＴ３０のドレインに電気的
に接続されており、スイッチング素子であるＴＦＴ３０を一定期間だけそのスイッチを閉
じることにより、データ線６ａから供給される画像信号Ｓ１、Ｓ２、・・・、Ｓｎが所定
のタイミングで書き込まれる。画素電極９ａを介して液晶に書き込まれた所定レベルの画
像信号Ｓ１、Ｓ２、・・・、Ｓｎは、対向基板に形成された対向電極との間で一定期間保
持される。
【００４５】
液晶層５０に含まれる液晶は、印加される電圧レベルにより分子集合の配向や秩序が変
化することにより、光を変調し、階調表示を可能とする。ノーマリーホワイトモードであ
れば、各サブ画素部の単位で印加された電圧に応じて入射光に対する透過率が減少し、ノ
ーマリーブラックモードであれば、各サブ画素部の単位で印加された電圧に応じて入射光
に対する透過率が増加され、全体として液晶装置１からは画像信号に応じたコントラスト
をもつ光が出射される。蓄積容量７０は、画像信号がリークすることを防ぐために、画素
電極９ａと対向電極との間に形成される液晶素子５０ａと並列に付加されている。容量電
極線３００は、蓄積容量７０が有する一対の電極のうち固定電位側の電極である。
【００４６】
次に、図５及び図６を参照しながら、画素部の具体的な構成を説明する。
【００４７】
図５において、画素部７２は、Ｘ方向に沿って配列された４つのサブ画素部７２Ｒ、７
２Ｇ、７２Ｂ及び７２Ｗと、光検出回路部２５０とを有している。
【００４８】
サブ画素部７２Ｒ、７２Ｇ、７２Ｂ及び７２Ｗの夫々は、開口部７３Ｒ、７３Ｇ、７３
Ｂ、及び７３Ｗの夫々を有している。液晶装置１の動作時において、開口部７３Ｒ、７３
Ｇ、７３Ｂ及び７３Ｗの夫々から赤色光、緑色光、青色光及び白色光の夫々が出射される
ことによって液晶装置１によるカラー画像の表示が可能になる。加えて、サブ画素部７２
Ｒ、７２Ｇ、７２Ｂ及び７２Ｗの夫々は、各サブ画素部をスイッチングするＴＦＴ３０を
有している。
【００４９】
図６において、液晶装置１は、遮光膜１１及び１５３、平坦化膜２０ａに埋め込まれた
３種類のカラーフィルタ１５４Ｒ、１５４Ｇ及び１５４Ｂ、液晶層５０、光センサ部２５
０ｂ、バックライト２０６、並びに、第１偏光板３０１、第２偏光板３０２、及び第３偏
光板を備えている。
【００５０】
バックライト２０６は、導光板２０６ａ、及び表示用光源２０６ｂを備えて構成されて
おり、図中ＴＦＴアレイ基板１０の下側に配置されている。
【００５１】
表示用光源２０６ｂは、画像表示領域１０ａに画像を表示するための表示用光Ｌ１を生
成する。表示用光Ｌ１は、可視光であり、各サブ画素部の駆動に応じて液晶層５０によっ
て変調される。
【００５２】
導光板２０６ａは、例えば、表示用光Ｌ１を透過可能なアクリル樹脂で構成されており
、表示用光Ｌ１を画像表示領域１０ａに導く。液晶装置１は、画像を表示するために表示
用光Ｌ１を利用すると共に、表示面３０２ｓを指示する指等の指示手段を検知するために
表示用光Ｌ１及び外光を利用する。
【００５３】
第１偏光板３０１及び第２偏光層３０２の夫々は、図中上下方向に沿って液晶層５０の
両側の夫々の側に配置されている。第１偏光層３０１及び第２偏光層３０２の夫々は、各
々の光軸が互いに交差するようにクロスニコル配置されている。
【００５４】
第３偏光層３０３は、第１偏光層３０１の光軸に沿って延びる光軸を有しており、絶縁
膜４１上の絶縁膜４２によって覆われた光センサ部２５０ｂから見てＴＦＴアレイ基板１
０側において画素電極９ａに重なるように延びている。第３偏光層３０３によれば、第１
偏光層３０１のうち画素電極９ａに重なる部分と共に、各画素に入射する表示用光Ｌ１を
確実に偏光させることが可能である。
【００５５】
尚、第２偏光層３０２及び第３偏光層３０３は、延伸されたＰＶＡ（ポリビニルアルコ
ール）膜をＴＡＣ（トリアセチルセルロース）で構成された保護フィルムによって挟み込
んで構成されている。
【００５６】
サブ画素部７２Ｒ、７２Ｇ及び７２Ｂの夫々は、液晶装置１が表示面３０２ｓに画像を
表示する際に、各サブ画素部における液晶層５０によって変調された光源光Ｌ１のうち赤
色光、緑色光、及び青色光の夫々をカラーフィルタ１５４Ｒ、１５４Ｇ及び１５４Ｂの夫
々を介して表示面３０２ｓ側に透過させる。サブ画素部７２Ｗは、液晶層５０によって変
調された光源光Ｌ１をそのまま表示面３０２ｓに出射する。したがって、液晶装置１は、
各サブ画素部を透過した光によって画像をカラー表示できる。
【００５７】
カラーフィルタ１５４Ｒ、１５４Ｇ及び１５４Ｂの夫々は、表示面３０２ｓから入射す
る入射光Ｌ２のうち赤色光、緑色光、及び青色光の夫々を表示面３０２ｓから液晶層５０
に向かって透過させる。他方、開口部７３Ｗにはカラーフィルタが配置されていないため
、表示面３０２ｓに入射する入射光Ｌ２はそのまま光センサ部２５０ｂに入射する。
【００５８】
ここで、サブ画素部７２Ｒ、７２Ｇ及び７２Ｂの夫々を透過した赤色光Ｌ２Ｒ、緑色光
Ｌ２Ｇ、及び青色光Ｌ２Ｂの夫々の光強度は、入射光Ｌ２がカラーフィルタを透過するこ
とによって入射光Ｌ２の光強度の約１／３となる。したがって、仮に、サブ画素部７２Ｒ
、７２Ｇ及び７２Ｂの夫々に光センサ部を配置したとしても、指示手段によって反射され
た自然光である入射光Ｌ２を検出する検出精度は十分ではない。加えて、サブ画素部毎に
光センサ部を配置したのでは、各サブ画素部が占める領域のサイズに対する開口部７３Ｒ
、７３Ｇ及び７３Ｂのサイズの割合、即ち開口率を高めることができなくなる。
【００５９】
そこで、本実施形態に係る液晶装置１では、サブ画素部７２Ｒ、７２Ｇ及び７２Ｂから
なる３つのサブ画素部毎に配置されたサブ画素部７２Ｗの開口部７３Ｗに重なるように光
センサ部２５０ｂを配置することによって、サブ画素部７２Ｒ、７２Ｇ及び７２Ｂの夫々
の開口率を低下させなくて済む。液晶装置１によれば、例えば、サブ画素部７２Ｒ、７２
Ｇ、７２Ｂ及び７２Ｗの夫々に光センサ部２５０ｂを配置する場合に比べて、ＴＦＴアレ
イ基板１０上において光センサ部２５０ｂが占める領域のサイズを１／４に狭めることが
可能である。したがって、液晶装置１によれば、画像表示領域１０ａのうち実質的に光が
透過する領域の面積を拡げることが可能である。
【００６０】
次に、光検出回路部２５０の構成を詳細に説明する。光検出回路部２５０は、光センサ
駆動部２５０ａ及び光センサ部２５０ｂから構成されている。光センサ部２５０ｂは、開
口部７３Ｗに入射した入射光を受光可能なように、ＴＦＴアレイ基板１０上において開口
部７３Ｗに重なるように配置されている。サブ画素部７２Ｗに入射した入射光Ｌ２は、カ
ラーフィルタによって光強度が低下しない状態で光センサ部２５０ｂに入射する。即ち、
サブ画素部７２Ｗに入射した入射光Ｌ２は、サブ画素部７２Ｒ、７２Ｇ及び７２Ｂを透過
する三色の色光の夫々の光強度に比べて高い光強度を維持したままで光センサ部２５０ｂ
に入射する。したがって、光センサ部２５０ｂは、表示面３０２ｓにおいて指等の指示手
段によって反射された光を正確に検出できる。
【００６１】
したがって、液晶装置１によれば、サブ画素部における開口率の低下を抑制しつつ、光
センサ部２５０ｂが入射光Ｌ２を検出する検出能力を高めることが可能である。
【００６２】
尚、本実施形態では、３色の色光の夫々を透過可能なサブ画素部７２Ｒ、７２Ｇ及び７
２Ｂ毎にサブ画素部７２ＷがＴＦＴアレイ基板１０上に形成されている場合を例に挙げた
が、本発明に係る電気光学装置によれば、例えば、２色以上の色光の夫々を透過させるサ
ブ画素部を一組として当該組毎に２色以上の色光を透過させるサブ画素部に重なるように
光センサ部を配置することによって、開口率の低下を抑制する効果と、指示手段を検出す
る検出能力を向上させる効果との双方の効果を得ることが可能である。
【００６３】
＜２：電子機器＞
次に、図７及び図８を参照しながら、上述した液晶装置を具備してなる電子機器の実施
形態を説明する。
【００６４】
図７は、上述した液晶装置が適用されたモバイル型のパーソナルコンピュータの斜視図
である。図７において、コンピュータ１２００は、キーボード１２０２を備えた本体部１
２０４と、上述した液晶装置を含んでなる液晶表示ユニット１２０６とから構成されてい
る。液晶表示ユニット１２０６は、液晶パネル１００５の背面にバックライトを付加する
ことにより構成されており、正確に各種情報を入力できるタッチパネル機能を有している
。
【００６５】
次に、上述した液晶装置を携帯電話に適用した例について説明する。図８は、本実施形
態の電子機器の一例である携帯電話の斜視図である。図８において、携帯電話１３００は
、複数の操作ボタン１３０２とともに、反射型の表示形式を採用し、且つ上述した液晶装
置と同様の構成を有する液晶装置１００５を備えている。携帯電話１３００によれば、高
品位の画像表示が可能であると共に、指等の指示手段によって表示面を介して正確に情報
を入力可能である。
【図面の簡単な説明】
【００６６】
【図１】本実施形態に係る液晶装置の平面図である。
【図２】図１のＩＩ−ＩＩ´断面図である。
【図３】本実施形態に係る液晶装置の主要な回路構成を示したブロック図である。
【図４】本実施形態に係る液晶装置の画像表示領域における等価回路である。
【図５】本実施形態に係る液晶装置が有する画素部の図式的平面図である。
【図６】図５のＶＩ−ＶＩ´断面図である。
【図７】本実施形態に係る電子機器の一例を示した斜視図である。
【図８】本実施形態に係る電子機器の他の例を示した斜視図である。
【符号の説明】
【００６７】
１・・・液晶装置、１０・・・ＴＦＴアレイ基板、２０・・・対向基板、５０・・・液
晶層、７２・・・画素部、２５０・・・光検出回路部、２５０ａ・・・光センサ駆動部、
２５０ｂ・・・光センサ部
【図１】
2008281732.tif 000003
【図２】
2008281732.tif 000004
【図３】
2008281732.tif 000005
【図４】
2008281732.tif 000006
【図５】
2008281732.tif 000007
【図６】
2008281732.tif 000008
【図７】
2008281732.tif 000009
【図８】
2008281732.tif 000010